(57)【要約】【課題】パチンコ機の遊技盤の裏面に、主制御装置を、遊技盤の前面に設けられる前部品からの制約を受けることなく、取り付けやすくかつ落下する球の滞留も防止するように取り付けることを図る。【解決手段】遊技制御取付装置が組み立てられることによって、配線構造体１２の上部および左右部が部品取付構造体３における庇１０で覆い隠され、配線構造体１２の後部が取付台２２で覆い隠され、配線コネクタ１６および制御コネクタ４９の上部が取付台２２の受体２６で覆い隠されているので、矢印Ｘで示すように、球Ｐが上方から配線構造体１２の方に落下した場合、球Ｐが庇１０や取付台２２に衝突して配線構造体１２、配線コネクタ１６、制御コネクタ４９に衝突することがなく、配線構造体１２、配線コネクタ１６、制御コネクタ４９のそれぞれにおける電気的な接続が適切に維持される。【選択図】図１
2006025978.tif 000002
【特許請求の範囲】
【請求項１】
遊技盤は前面における内ガイドレールと外ガイドレールで囲まれた内側の遊技領域に、入賞部品、遊技釘、アウト口のような複数の前部品を備え、内ガイドレールと外ガイドレールとの間の隙間として形成された発射通路から遊技領域への球出口または球出口の近傍における遊技領域のいずれかと対応する遊技盤の裏面には、配線構造体収納部の上部および左右部を囲むように突出した庇を有する部品取付構造体が設けられ、配線構造体収納部には、配線コネクタを有する配線構造体が設けられ、部品取付構造体の庇の裏面には、取付台が設けられ、電気部品の実装された回路基板を内蔵した制御筐体からなる主制御装置が回路基板の板面が遊技盤の裏面に対し直交し、回路基板の板面と直交する端面が遊技盤の裏面に対し平行となるように、制御筐体が取付台に取り付けられることによって、主制御装置の制御コネクタが配線構造体の配線コネクタに接続され、庇の上面と取付台の上面および制御筐体の上面が遊技盤の裏面から後側に行くにしたがって下り傾斜となる斜面に形成されたことを特徴とする遊技制御取付装置。
【請求項２】
制御筐体の上面には把持溝が設けられたことを特徴とする請求項１記載の遊技制御取付装置。
【請求項３】
制御筐体の下面には把持突起が設けられたことを特徴とする請求項１記載の遊技制御取付装置。
【発明の詳細な説明】
【技術分野】
【０００１】
本発明は、パチンコ機の遊技盤の裏面に、主制御装置を、遊技盤の前面に設けられる前部品からの制約を受けることなく、取り付けやすくかつ落下する球の滞留も防止するように取り付けることができる遊技制御取付装置に関する。
【背景技術】
【０００２】
パチンコ機の遊技盤は、前面の内ガイドレールと外ガイドレールで囲まれた内側の遊技領域に、入賞部品、遊技釘、アウト口などの複数の前部品を備え、遊技盤の裏面に、入賞部品に入賞した球を電気的に検出する入賞球検出器から入力された入賞信号で遊技全般を制御する主制御装置、主制御装置から入力された入力信号でスピーカを制御する音制御装置のような別々の制御装置として分別構成された複数の制御装置を備えている。しかしながら、複数の制御装置が遊技盤における裏面の全体に分散されているので、遊技盤における遊技領域に、遊技盤の裏面に突出する部分の有る部品を設ける場合、遊技盤の裏面に設けられた制御装置と干渉しないようにしなければならないことから、遊技盤の裏面に突出する部分の有る前部品を設ける位置が制約を受けるという欠点があった。
【特許文献１】特開２０００−１６７１９５号公報
【発明の開示】
【発明が解決しようとする課題】
【０００３】
発明が解決しようとする問題点は、遊技盤の裏面に突出する部分の有る前部品を遊技領域に設ける位置が制約されるという点である。
【課題を解決するための手段】
【０００４】
本発明に係る遊技制御取付装置は、遊技盤は前面における内ガイドレールと外ガイドレールで囲まれた内側の遊技領域に、入賞部品、遊技釘、アウト口のような複数の前部品を備え、内ガイドレールと外ガイドレールとの間の隙間として形成された発射通路から遊技領域への球出口または球出口の近傍における遊技領域のいずれかと対応する遊技盤の裏面には、配線構造体収納部の上部および左右部を囲むように突出した庇を有する部品取付構造体が設けられ、配線構造体収納部には、配線コネクタを有する配線構造体が設けられ、部品取付構造体の庇の裏面には、取付台が設けられ、電気部品の実装された回路基板を内蔵した制御筐体からなる主制御装置が回路基板の板面が遊技盤の裏面に対し直交し、回路基板の板面と直交する端面が遊技盤の裏面に対し平行となるように、制御筐体が取付台に取り付けられることによって、主制御装置の制御コネクタが配線構造体の配線コネクタに接続され、庇の上面と取付台の上面および制御筐体の上面が遊技盤の裏面から後側に行くにしたがって下り傾斜となる斜面に形成されたことを最も主要な特徴とする。本発明に係る遊技制御取付装置は、制御筐体の上面には把持溝が設けられたり、制御筐体の下面には把持突起が設けられたりすることも特徴とする。
【発明の効果】
【０００５】
本発明に係る遊技制御取付装置は、発射通路から遊技領域への球出口または球出口の近傍における遊技領域のいずれかと対応する遊技盤の裏面に、主制御装置が設けられたことによって、遊技盤の裏面に突出する裏機構の必要な前部品を遊技領域に設ける位置が制約されることがなく、配線構造体の上部および左右部が部品取付構造体における庇で覆い隠され、配線構造体の後部が取付台で覆い隠され、配線コネクタおよび制御コネクタの上部が取付台で覆い隠されているので、球が上方から配線構造体の方に落下した場合、球が庇や取付台に衝突して配線構造体、配線コネクタ、制御コネクタに衝突することがなく、配線構造体、配線コネクタ、制御コネクタのそれぞれにおける電気的な接続が適切に維持され、庇の上面、取付台の上面、制御筐体の上面が、後側に行くにしたがって徐々に下り傾斜となる斜面として形成されているので、庇や取付台に落下した球は、庇の上面や取付台の上面を後側に転がって制御筐体の上面から下方に速やかに落下し、主制御装置、部品取付構造体、取付台それぞれの上に滞留することがないという利点がある。制御筐体の上面には把持溝が設けられたり、制御筐体の下面には把持突起が設けられたりすれば、作業者が主制御装置を取付台に取り付ける場合、主制御装置が持ちやすくなるという利点がある。
【発明を実施するための最良の形態】
【０００６】
図１−図９は、発明を実施するための最良の形態である。図１は、遊技制御取付装置を縦に切断した断面を示す。図２は、遊技制御取付装置の裏面を示す。図３は、遊技制御取付装置を分解して示す。図４および図５は遊技制御取付装置の組立工程を示す。図６は、遊技盤２の正面を示す。図７は、遊技盤２と遊技機枠９１とを分解して示す。図８は、遊技機枠９１の裏面を示す。図９は遊技機枠９１に遊技盤２を取り付けたパチンコ機の裏面を示す。この明細書において、「前」、「後」、「裏」、「左」、「右」、「上」、「下」の方向は、図７の状態に遊技盤２および遊技機枠９１を置いて前側から見た場合に特定される方向である。「後」と「裏」とは同じ方向である。
【０００７】
図３を参照し、主制御装置１を遊技盤２の裏面に取り付ける遊技制御取付装置の構造について説明する。遊技盤２の裏面に固定された部品取付構造体３には、台取付部４、配線構造取付部５、制御装置取付部６が、左右方向に離れた位置で、部品取付構造体３から裏側に突出する。台取付部４には、ねじ取付孔７が設けられる。配線構造取付部５には、ねじ取付孔８が設けられる。制御装置取付部６には、ねじ取付孔９が設けられる。配線構造取付部５の上部および左右部を覆う庇１０が部品取付構造体３に設けられる。換言するならば、部品取付構造体３には、庇１０が部品取付構造体３の裏面に配線構造体収納部１１の上部および左右部を囲むように突出し、配線構造体収納部１１には、配線構造取付部５が設けられ、庇１０の左右部には、台取付部４および制御装置取付部６が設けられている。制御装置取付部６と庇１０の左右部との連接部には、リブ６ａが設けられる。リブ６ａは、庇１０の左右部から制御装置取付部６の中間部に行くにしたがって徐々に外形が制御装置取付部６の側に行く傾斜を形成する。庇１０の上面は、遊技盤２の裏面の方から庇１０の後側に行くにしたがって徐々に下り傾斜となる斜面として形成される。配線構造体１２は、盤側可撓性配線１３と補強体１５と配線コネクタ１６とを備える。合成樹脂からなる板状の補強体１５は、盤側可撓性配線１３の前面に設けられる。配線コネクタ１６は、盤側可撓性配線１３の裏面に設けられる。タッピングスクリューのような止ねじ１７が補強体１５の前側から補強体１５に形成された図外のねじ挿入孔および盤側可撓性配線１３に形成された図外のねじ挿入孔を経由して配線コネクタ１６の取付足１８のねじ取付孔１９に締結されることによって、盤側可撓性配線１３と補強体１５と配線コネクタ１６とが互いに結合される。盤側可撓性配線１３および補強体１５には、配線構造取付部５のねじ取付孔８と位置が対応するねじ挿入孔２０が形成される。
【０００８】
取付台２２は、主制御装置１を取り付けるための部品であって、主制御装置１における制御筐体３６の前壁と略同じ大きさの方形な板状の前壁２３を備える。前壁２３には、コネクタ逃孔２４が形成される。前壁２３の周縁からは、周壁２５が、前壁２３を囲む格好で、裏側に突出する。周壁２５からは、上下に相対峙する一対の受体２６が、裏側に、方形な板状に突出する。一対の受体２６の外側面からは、複数のリブ２７が、前後方向に延びる凸条に突出する。上側の受体２６からは、係合レバー２８が、突出する。係合レバー２８は、受体２６から裏側に向けて直線的に延びる板状である。係合レバー２８には、フック２９が、受体２６から裏側に向けて直線的に延びた端部の位置で、内側に突出する。係合レバー２８からは、操作部３０が、フック２９の位置から上方に折れ曲がった後に裏側に向けて直線的に折れ曲がった形態に、突出する。上側の受体２６の上面および係合レバー２８の上面は、受体２６の方からフック２９の方に行くにしたがって徐々に下り傾斜となる斜面として形成される。周壁２５には、位置決め部３１、取付足３２が設けられる、位置決め部３１は、取付台２２を部品取付構造体３に取り付ける場合の位置を決めるためのものであって、周壁２５の左上部から左側に突出する。位置決め部３１は、制御装置取付部６に外接嵌合する貫通孔３１ａを備える。取付足３２は、周壁２５の左右部から外側に突出する。左側の取付足３２は、周壁２５の左下部から左側に突出する。右側の取付足３２は、周壁２５の右部の上下方向の中央部から右側に突出する。取付足３２の個数および位置は、台取付部４と同じである。取付足３２には、ねじ挿入孔３３が設けられる。
【０００９】
主制御装置１は、制御に必要な電気部品の実装された回路基板３５を、制御筐体３６に内蔵した構造である。制御筐体３６に内蔵された回路基板３５の電気部品は、制御筐体３６の上面の方に向くように、上方に向けられている。制御筐体３６は、光透過性の有る合成樹脂製のカバー筐体３７とカバー筐体３７と別体の光透過性の有る合成樹脂製のベース筐体３８とを、不正に開けられることのないように、結合部３９で密封状に結合した構造である。制御筐体３６は、回路基板３５における電気部品の実装された板面と対向する一対の外壁と、これらの外壁に連なる二対の側壁とからなる六面体である。一対の外壁は、二対の側壁よりも広い面積を有する。二対の側壁の上下幅Ｔは、一対の外壁の前後幅Ｈよりも小さい。制御筐体３６における取付台２２の係合レバー２８の側に位置する上面には、案内溝４０、確認溝４１、係合部４２、把持溝４３を備える。この制御筐体３６の上面は、前側から後側に行くにしたがって徐々に下り傾斜となる斜面として形成される。案内溝４０は、制御筐体３６の上面における取付台２２の側に位置する前縁から裏側方向中間位置まで連なり、フック２９の挿入可能な幅を有し、制御筐体３６の上面から内部に帯状に窪む形状である。確認溝４１は、制御筐体３６の上面の後縁から案内溝４０の手前まで連なり、案内溝４０よりも幅が広く、制御筐体３６の上面から内部に帯状に窪む形状である。確認溝４１における制御筐体３６の上面からの深さは、案内溝４０における制御筐体３６の上面からの深さより深い。
【００１０】
係合部４２は、確認溝４１の行き止まりとなった部分、つまり、案内溝４０の溝底面と確認溝４１の溝底面との境としての縦面により形成される。把持溝４３は、案内溝４０および確認溝４１の左側に位置し、案内溝４０および確認溝４１と直交する方向に長く、制御筐体３６の上面から内部に帯状に窪む形状である。把持溝４３おける案内溝４０および確認溝４１の側に位置する内側部分が、確認溝４１の後縁に開放された側に湾曲して確認溝４１に連接されて開放される。取付足４６は、制御筐体３６の左側面と下面とに設けられる。取付足４６は、制御装置取付部６を嵌め込むことの可能な前面に開口した筒状である。取付足４６の後面を塞ぐ後壁には、ねじ挿入孔４７が、前後方向に貫通する。制御筐体３６における取付台２２の側に位置する前壁からは、回路基板３５に実装された制御コネクタ４９が、外側に突出する。係合部４２と案内溝４０の溝底面とを結ぶ部分は、案内溝４０の溝底面から係合部４２に行くにしたがって徐々に上る図１に示す斜面４５として形成される。制御筐体３６の下面には、図４に示す複数の把持突起４８が、前後方向の中央部で、左右方向に一列に配置され、制御筐体３６の下面から外側に半球形に突出する。
【００１１】
次に、図１−図５を参照し、主制御装置１が遊技盤２の裏面に取り付けられる工程について説明する。先ず、図３において、タッピングスクリューのような止ねじ５１が、遊技盤２の裏面に取り付けられた配線構造体１２の裏側からねじ挿入孔２０を経由して配線構造取付部５のねじ取付孔８に締結されることによって、配線構造体１２が部品取付構造体３に取り付けられる。次に、取付台２２の位置決め部３１が、制御装置取付部６に嵌め込まれてリブ６ａの前面に接触し、取付台２２のコネクタ逃孔２４が、配線構造体１２の配線コネクタ１６に挿入され、タッピングスクリューのような止ねじ５２が、取付台２２の裏側からねじ挿入孔３３を経由して台取付部４のねじ取付孔７に締結されることによって、配線コネクタ１６が、取付台２２のコネクタ逃孔２４から裏側に突出した格好で、取付台２２が、部品取付構造体３に取り付けられる。これによって、配線構造体１２および取付台２２が遊技盤２の裏面に取り付けられた図４に示す形態となる。
【００１２】
図４において、位置決め部３１と制御装置取付部６のリブ６ａとが互いに接触することによって、位置決め部３１と取付台２２との間の隙間は、１個の球の直径よりも小さい寸法となる。その後、主制御装置１の制御筐体３６が取付台２２の裏側から取付台２２に嵌め込まれる。その場合、作業者が、主制御装置１を、仮想線で示す手５３で持ち、案内溝４０が係合レバー２８の側に向けられる。そして、係合レバー２８のフック２９が案内溝４０に取り込まれる。その状態のまま、制御筐体３６が、フック２９をガイドとして、取付台２２の方向に直進される。それに伴い、制御筐体３６における上面と下面とが、取付台２２における一対の受体２６の間に、一対の受体２６で上下方向から挟まれる格好で、滑り込んだ後、制御コネクタ４９の電気端子と配線コネクタ１６の電気端子とが、互いに、接続される。引き続く、上記制御筐体３６の直進により、係合レバー２８のフック２９が、案内溝４０から図１に示す斜面４５を越えて確認溝４１に落ち込んで、係合部４２に係合する。フック２９が係合部４２に係合する過程において、取付足４６が制御装置取付部６を外側から覆うように制御装置取付部６に嵌め込まれる。その後、図３に示すタッピングスクリューのような止ねじ５４が、取付足４６のねじ挿入孔４７から制御装置取付部６のねじ取付孔９に締結される。これによって、図１、図２および図５に示すように、主制御装置１が、部品取付構造体３と台取付部４と配線構造取付部５および制御装置取付部６からなる遊技制御取付装置で遊技盤２の裏面に取り付けられ、主制御装置１の回路基板３５が盤側可撓性配線１３に接続される。
【００１３】
このように組み立てられた遊技制御取付装置にあっては、図１に示すように、配線構造体１２の上部および左右部が部品取付構造体３における庇１０で覆い隠され、配線構造体１２の後部が取付台２２で覆い隠され、配線コネクタ１６および制御コネクタ４９の上部が取付台２２の受体２６で覆い隠されているので、矢印Ｘで示すように、球Ｐが上方から配線構造体１２の方に落下した場合、球Ｐが庇１０や取付台２２に衝突して配線構造体１２、配線コネクタ１６、制御コネクタ４９に衝突することがなく、配線構造体１２、配線コネクタ１６、制御コネクタ４９のそれぞれにおける電気的な接続が適切に維持されるという利点がある。庇１０の上面、受体２６の上面、係合レバー２８の上面、制御筐体３６の上面が、後側に行くにしたがって徐々に下り傾斜となる斜面として形成されているので、庇１０や取付台２２に落下した球Ｐは、庇１０の上面や受体２６の上面を後側に転がって制御筐体３６の上面から下方に速やかに落下し、主制御装置１、部品取付構造体３、取付台２２それぞれの上に滞留することがないという利点がある。係合部４２と案内溝４０の溝底面とを結ぶ部分が案内溝４０の溝底面から係合部４２に行くにしたがって徐々に上る図１に示す斜面４５として形成されているので、フック２９が案内溝４０から係合部４２に係合する過程での、挿入が楽であるという利点がある。確認溝４１が案内溝４０よりも深く、係合部４２が確認溝４１の行き止まりとなった部分における縦面により形成された構造であるので、フック２９が係合部４２に深く係合するという利点がある。確認溝４１が、制御筐体３６の後縁に開口した構造であるので、作業者が主制御装置１を後側から見ることによって、フック２９が係合部４２に正確に係合しているか否かを容易に確認することができるという利点がある。
【００１４】
図２に示すように、確認溝４１の幅が、フック２９よりも広く形成された構造であるので、確認溝４１の幅が、フック２９と同じ程度に狭い場合に比べ、フック２９の係合部４２への係合の確認が、一層、容易になるという利点がある。
【００１５】
図３に示すように、フック２９の挿入可能な幅を有する案内溝４０が制御筐体３６における取付台２２の側に位置する前縁から裏側方向中間位置まで連なった形状で設けられた構造であるので、作業者が、主制御装置１を取付台２２に嵌め込む場合、フック２９を案内溝４０に挿入したまま、主制御装置１を取付台２２の方に直進させれば、案内溝４０が主制御装置１を取付台２２の方に誘導するので、主制御装置１を取付台２２に嵌め込みやすくなるという利点がある。盤側可撓性配線１３が、補強体１５で支持された構造であるので、制御コネクタ４９の電気端子と配線コネクタ１６の電気端子とが嵌まり合う場合、補強体１５が、制御コネクタ４９から配線コネクタ１６に働く押圧力を負担し、配線コネクタ１６が遊技盤２の方向に逃げることなく、制御コネクタ４９の電気端子と配線コネクタ１６の電気端子とが、適切に接続されるという利点がある。配線構造取付部５が、配線コネクタ１６の近い位置に配置された構造であるので、上記補強体１５が押圧力を負担する場合の撓みが、一層、低減できるという利点がある。
【００１６】
図４に示すように、作業者が、手５３で主制御装置１を持つ場合、掌を、制御筐体３６の後壁に置き、人差し指、中指、薬指および小指を把持溝４３の有る上面の方に折り曲げることによって、係る４本の指先が把持溝４３に入り込み、親指を制御筐体３６の把持突起４８の有る下面の方に広げることによって、親指の指先が複数の把持突起４８の少なくとも１個を下から押え付ける。結果として、作業者が、主制御装置１を持ちやすくなるという利点がある。
【００１７】
図５に示すように、止ねじ５４が、制御筐体３６の取付足４６を経由して取付台２２の台取付部４に締結された構造であるので、制御コネクタ４９と配線コネクタ１６との接続が、維持できるという利点がある。把持溝４３の内側部分が、確認溝４１の後縁に開放された側に湾曲して確認溝４１に連接されて開放されているので、制御筐体３６の上面を転がる球Ｐが把持溝４３に取り込まれても、球Ｐは把持溝４３に滞留することなく把持溝４３から確認溝４１を経由して主制御装置１の外部に落下するという利点がある。
【００１８】
図６を参照し、遊技盤２の前機構について説明する。遊技盤２は、遊技盤２の方形な前面における内ガイドレール５６と外ガイドレール５７とで囲まれた内側の遊技領域５８に、センター飾り５９、一般入賞部品６０、作動入賞部品６１、始動入賞部品６２、可変入賞部品６３、図柄表示部品６４、演出表示部品６５、サイドランプ６６、風車６７、多数本の遊技釘６８、戻り球防止弁６９、球反発体７０、アウト口７１などの前部品を備え、内ガイドレール５６および外ガイドレール５７の外側の非遊技領域に、取付部７２、盤面飾り７３、証紙台７４を備える。内ガイドレール５６の左側部と外ガイドレール５７の左側部との間の隙間は、発射通路７５である。センター飾り５９は、遊技領域５８の中央部に設けられ、中央に光を透過する物性の有る無色な透過性パネル７６を備える。一般入賞部品６０は、内ガイドレール５６に沿った左下部および右下部で、可変入賞部品６３の左右に設けられる。作動入賞部品６１は、センター飾り５９と内ガイドレール５６との間の左上部に設けられる。
【００１９】
始動入賞部品６２は、センター飾り５９のステージから球を落下させる球落下口７７の真下に設けられ、左右に開閉する一対の羽根７８を有する電動チューリップと呼ばれる構造のものを図示してある。可変入賞部品６３は、始動入賞部品６２の真下に設けられ、開閉体７９が下部を中心として前傾状に開くとともに垂直に閉じる、アタッカまたは大入賞口と呼ばれる構造である。図柄表示部品６４は、遊技領域５８の右下部に設けられ、ステップモータによって、表面に定形な図柄の印刷された立体的な表示体を回転するように動かす構造である。演出表示部品６５は、センター飾り５９の上部に設けられ、センター飾り５９の表面に設けられたシャッターを電磁ソレノイドまたはステップモータのような演出駆動源によって開閉し、シャッターの裏側に配置された表示灯を点灯、点滅、消灯する構造である。サイドランプ６６は、右下部の一般入賞部品６０の上部で、内ガイドレール５６に沿った左側部に設けられる。風車６７は、作動入賞部品６１の下部に設けられる。
【００２０】
多数本の遊技釘６８は、センター飾り５９、作動入賞部品６１、一般入賞部品６０、始動入賞部品６２、可変入賞部品６３、図柄表示部品６４、演出表示部品６５、サイドランプ６６、風車６７、戻り球防止弁６９、球反発体７０、アウト口７１のそれぞれと干渉しないように分散して設けられる。戻り球防止弁６９の一端部が、内ガイドレール５６における発射通路７５の球出口８０に位置する端部に取り付けられ、戻り球防止弁６９は、内ガイドレール５６から外ガイドレール５７の方向に位置する先端部に行くにしたがって、発射通路７５の球出口８０から遊技領域５８の方向に徐々に傾斜する。球反発体７０は、戻り球防止弁６９と対となる右上部で、内ガイドレール５６から外ガイドレール５７との間に設けられる。アウト口７１は、内ガイドレール５６に沿って、遊技領域５８の最下部に設けられる。取付部７２は、遊技盤２の右側部に設けられる。取付部７２にはロック挿入孔８１を備える。証紙台７４が、軸８２を中心として前側に開けられることによって、下部の取付部７２が、遊技盤２の前側から見える格好となる。証紙台７４の前面には、証紙が、貼り付けられる。証紙は、遊技盤２が、組合の検査に合格して販売の認可を受けたことを証明するものである。
【００２１】
遊技盤２の裏面には、主制御装置１が発射通路７５から遊技領域５８への球出口８０の近傍における遊技領域５８と対応する位置に設けられ、複合制御装置８４が発射通路７５と対応する位置に設けられる。主制御装置１は、制御に必要な電気部品の実装された回路基板３５からなる主制御基板を１つの制御筐体３６の内部に装着した構造であって、回路基板３５の電気部品を実装した板面が遊技盤２の裏面に対し直交しかつ遊技盤２の裏面に対し左右方向で水平に向けられ、回路基板３５の板面と直交する端面が遊技盤２の裏面に対し平行となる格好で、制御筐体３６の厚さが遊技盤２の上下方向となる格好で、遊技盤２の裏面に対して取り付けられる。
【００２２】
そして、発射通路７５から戻り球防止弁６９を押し開けて遊技領域５８に発射された球は、センター飾り５９、作動入賞部品６１、一般入賞部品６０、始動入賞部品６２、可変入賞部品６３、演出表示部品６５、サイドランプ６６、風車６７、遊技釘６８、球反発体７０などに衝突して流れる方向を変えられながら、遊技領域５８を流下し、作動入賞部品６１を通過したり、一般入賞部品６０、始動入賞部品６２、可変入賞部品６３に入賞したりする。一般入賞部品６０、始動入賞部品６２、可変入賞部品６３に入賞しないで遊技領域５８の最下部に到達した球は、アウト口７１から遊技盤２の裏側に排出される。
【００２３】
図７を参照し、遊技盤２の裏機構、遊技機枠９１の前機構について説明する。遊技盤２の裏面には、主制御装置１、複合制御装置８４、セット板と呼ばれる部品取付構造体３、盤側可撓性配線１３、盤側ヒンジ８５、図柄表示器８６、図柄制御装置８７、図柄表示駆動機構８８、演出駆動機構８９を備える。部品取付構造体３は、一般入賞部品６０、始動入賞部品６２、可変入賞部品６３、アウト口７１から遊技盤２の裏側に排出された球を、下方に誘導して排出する。部品取付構造体３には、逃孔８３が形成される。盤側可撓性配線１３は、遊技盤２に設けられた電気部品と遊技機枠９１に設けられた電気部品とを接続する多数本の箔形状の電線および箔形状の電極９０が、可撓性を有する合成樹脂基板の表面に付設された構造である。盤側可撓性配線１３に接続される遊技盤２に設けられた電気部品は、作動入賞球検出器、一般入賞球検出器、始動入賞球検出器、特定入賞球検出器、普通入賞球検出器、羽根駆動機構の羽根駆動源、開閉駆動機構の開閉駆動源、図柄制御装置８７、図柄表示駆動機構８８のステップモータ、演出駆動機構８９の演出駆動源、表示灯基板などである。盤側ヒンジ８５は、遊技盤２に固定的に取りけられたヒンジ躯体の前側に折り曲げられた支持部に上下方向に貫通したヒンジ孔を備えた構造である。図柄表示器８６は、電気的に表示形態の変えられる画像を表示画面に表示する画像表示器により形成される。図柄制御装置８７は、主制御装置１からの出力により図柄表示器８６の制御を行う。図柄制御装置８７が図柄表示器８６の裏面に設けられる。図柄表示器８６と図柄制御装置８７とは一体になった構造である。
【００２４】
遊技盤２の裏側には、遊技盤２の前面に設けられた前部品の裏機構が、遊技盤２に形成された図外の逃孔や部品取付構造体３の逃孔８３を経由して突出する。遊技盤２の裏側に突出した前部品の裏機構は、図７に示す演出駆動機構８９、図７に示す図柄表示駆動機構８８、図６に示す作動入賞部品６１に入賞した球を電気的に検出して作動入賞信号を主制御装置１に出力する図外の作動入賞球検出器、図６に示す一般入賞部品６０に入賞した球を電気的に検出して一般入賞信号を主制御装置１に出力する図外の一般入賞球検出器、始動入賞部品６２に入賞した球を電気的に検出して始動入賞信号を主制御装置１に出力する図外の始動入賞球検出器、図６に示す始動入賞部品６２の羽根７８を動かす図外の羽根駆動機構、可変入賞部品６３に入賞した球を電気的に検出して継続信号を主制御装置１に出力する図外の特定入賞球検出器、可変入賞部品６３に入賞した球を電気的に検出して可変入賞信号を主制御装置１に出力する図外の普通入賞球検出器、図６に示すサイドランプ６６の表示灯基板などである。図７に示す図柄表示器８６は図６に示すセンター飾り５９における透過性パネル７６の裏側に配置され、図柄表示器８６の表示画面に表示された図柄や画像は遊技盤２の前側から透過性パネル７６を通して見える。図７に示す図柄表示駆動機構８８における図外のステップモータは、図６に示す図柄表示部品６４における表面に定形な図柄の印刷された立体的な表示体を回転する駆動源である。図７に示す演出駆動機構８９における図外の演出駆動源は、図６に示す演出表示部品６５におけるシャッターを動かす電磁ソレノイドまたはステップモータにより構成される。
【００２５】
図７に戻り、遊技機枠９１は、固定枠９２および可動枠９３を備える。固定枠９２は、パチンコ店の島と呼ばれる図外の遊技機設置構造体に取り付けるための外枠と呼ばれるものであって、前後方向に開放された縦長な長方形の空間を囲む額縁形状である。可動枠９３は、前枠または中枠と呼ばれるものであって、固定枠９２に左側のヒンジ９４で前側横方向に片開き可能にかつ着脱可能（交換可能）に取り付けられる。可動枠９３は、前後方向に開放された縦長な長方形の空間を囲む額縁形状の可動枠本体９５と、可動枠本体９５から内部に延設された遊技主体収納構造体９６とを備える。可動枠本体９５には、パネル枠９７および球皿構造体９８が左側に設けられる上部および下部のヒンジ９９で前側横方向に片開き可能に取り付けられる。パネル枠９７は、前後方向に開放された窓１００を囲む額縁形状である。パネル枠９７の裏面には、ガラスまたは合成樹脂からなる光透過性を有する前面パネル１０１が、窓１００を覆う格好で取り付けられる。
【００２６】
可動枠本体９５の右縦片には施錠装置１０２と複数のロック機構１０３；１０４；１０５およびロック解除操作体１０６が設けられる。可動枠９３やパネル枠９７および球皿構造体９８が閉じられてロック機構１０３−１０５で開閉不能に支持された状態において、遊技店の店員が図外のキープレート（鍵）を遊技機枠９１の前側から施錠装置１０２の鍵穴１０７に挿入し、当該キープレートを例えば右側に９０度回転操作すると、固定枠９２と可動枠９３とのロック機構１０３による支持形態が解除される。この支持形態の解除後に、店員が可動枠９３を前側に引くことによって、可動枠９３はヒンジ９４を中心として前側に片開きされる。また、上記施錠装置１０２の鍵穴１０７に挿入されたキープレートが例えば左側に９０度回転操作されると、可動枠９３とパネル枠９７とのロック機構１０４による支持形態が解除される。
【００２７】
この支持形態の解除後に、店員がパネル枠９７を前側に引くことによって、パネル枠９７はヒンジ９９を中心として前側に片開きされる。このように、パネル枠９７が前側に開かれた状態において、店員が可動枠９３の前面に設けられたロック解除操作体１０６を操作すると、可動枠９３と球皿構造体９８とのロック機構１０５による支持形態が解除される。この支持形態の解除後に、店員が球皿構造体９８を前側に引くことによって、球皿構造体９８はヒンジ９９を回転中心として前側に片開きされる。球皿構造体９８の前面には、球収納部１０８および発射操作機構１０９を備える。球収納部１０８は、遊技に使用するパチンコ球と呼ばれる球を受ける上方に開放された形態である。球皿構造体９８の裏面には、前横樋１１８から球を球収納部１０８に供給する球取入口１１０と、球収納部１０８から発射機構１１５に球を供給する球供給口１１１とを備える。
【００２８】
遊技主体収納構造体９６は、前側に開放された遊技主体収納室１１２と、遊技主体収納室１１２の背壁に前後方向に貫通する中央開口部１１３とを備える。遊技主体収納構造体９６における遊技主体収納室１１２の下部を区画形成する部分には、遊技主体棚１１４を備える。遊技主体棚１１４から下方に延設された遊技主体収納構造体９６における前壁の前面には、発射機構１１５、発射レール１１６、ファール球取入口１１７、前横樋１１８を備える。発射レール１１６は、球皿構造体９８の球供給口１１１から供給された１個の球を受け取る。発射機構１１５は、電力供給と遮断とを交互に受けることによって、球収納部１０８から発射レール１１６に供給された１個の球を遊技盤２の遊技領域５８（図６参照）に向けて発射する。発射レール１１６は、発射機構１１５から発射された球を、遊技盤２の発射通路７５（図６参照）の入口に誘導する。ファール球取入口１１７は、遊技盤２の発射通路７５から落下する球を取り込む。ファール球取入口１１７に取り込まれた球は、前横樋１１８を経由して球取入口１１０に排出される。前横樋１１８は、可動枠９３の裏部に取り付けられた球払出機構１２６（図８参照）から払い出された球を球取入口１１０に排出する。
【００２９】
遊技主体収納室１１２の右側には、遊技主体ロック部材１１９を備える。遊技主体ロック部材１１９は、遊技主体収納構造体９６から前側に突出する円筒状の台座の中心にロック操作体１２０を回転可能に備える。ロック操作体１２０は、台座から前側に突出した操作軸の端部に固定された横長な形態である。遊技主体収納室１１２の左側には、遊技盤２を取り付ける枠側ヒンジ１２１および枠側コネクタ１２２を備える。枠側ヒンジ１２１は、遊技主体収納室１１２の左側に固定的に取り付けられたヒンジ躯体の前側に折り曲げられた支持部から上方に突出したヒンジピンを備えた構造である。枠側コネクタ１２２は、導電材からなるコネクタピンが合成樹脂のような電気絶縁材からなるコネクタボディに移動可能に装着され、コネクタピンに内蔵されたコイルスプリングのような弾性体がコネクタピンの先端部をコネクタピンから外側に押し出した、スプリングコネクタと呼ばれる構造であって、コネクタピンが遊技盤２の電極９０から押されるのに伴い、弾性体が圧縮し、コネクタピンと電極９０とが互いに押し合って接触する。
【００３０】
図７において、遊技盤２は、遊技機枠９１に、次のように装着される。少なくとも、パネル枠９７が前側に開けられた状態において、遊技盤２の裏面が可動枠９３の前面に向けられ、遊技盤２の左側部が遊技主体収納室１１２に前側から挿入され、盤側ヒンジ８５のヒンジ孔が枠側ヒンジ１２１のヒンジピンに上方から挿入されると、遊技盤２が遊技機枠９１に盤側ヒンジ８５と枠側ヒンジ１２１とを中心として回転可能に取り付けられる。そして、遊技盤２が作業者によって遊技機枠９１の方に押されると、盤側可撓性配線１３の電極９０と枠側コネクタ１２２コネクタピンとが互いに接続される一方、ロック操作体１２０が遊技盤２のロック挿入孔８１に後側から挿入されて前側に突出する。その状態において、作業者がロック操作体１２０を例えば右方向に９０度回転操作すると、ロック操作体１２０がロック挿入孔８１の周りにおける遊技主体ロック部材１１９の台座と係合し、遊技盤２が遊技主体収納室１１２に取り付けられる。
【００３１】
図８を参照し、遊技機枠９１の裏機構について説明する。タンク１２４は、遊技機設置構造体における補給機構の球出口から排出された球を受けるものであって、中央開口部１１３より上部における右側に配置され、遊技主体収納構造体９６の裏面に取り付けられる。タンク１２４は、上方に開放した箱形である。タンク１２４の底部には、取込部１２５が、右側で前後方向中央部に設けられる。取込部１２５は、左右に横長であって、タンク１２４の底部から下方に窪む窪みである。タンク１２４には、球払出機構１２６が設けられる。球払出機構１２６は、ステップモータからなる払出モータ１２７と螺旋払出体１２８および払出球検出部１２９を備える。払出モータ１２７のモータケースが、タンク１２４の右外側面に取り付けられる。螺旋払出体１２８は、丸棒の外周面に螺旋体を備える。螺旋体は、螺旋払出体１２８の丸棒の軸心方向に球を１個ずつ分離する間隔で、当該丸棒の外周面から径方向外側に螺旋形状に突出する。螺旋払出体１２８の丸棒の軸心が左右方向に向けられた格好で、螺旋体が取込部１２５に回転可能に収納される一方、螺旋払出体１２８における螺旋体の不在な丸棒の両端部が取込部１２５を囲む左右側壁を取込部１２５の内外に回転可能に貫通する。そして、螺旋払出体１２８における取込部１２５の右側壁の外側に突出した丸棒の端部が、払出モータ１２７のモータ軸のような出力軸に結合される。この結合よって、払出モータ１２７の出力軸が回転すると、螺旋払出体１２８も一緒に回転する。タンク１２４の底部は、球が周囲から取込部１２５に向けて流れる斜面を形成する。
【００３２】
したがって、タンク１２４に貯蔵された球は、タンク１２４の取込部１２５に流れ込み、払出モータ１２７による螺旋払出体１２８の回転によって螺旋体の隙間に分離されつつ取り込まれて螺旋体で取込部１２５の内部を矢印Ｘ１で示すように左側から右側に移動し取込部１２５における底部に形成された球出口１３０から下方に落下してタンク１２４から排出される。このタンク１２４から排出された球は、球出口１３０の下部に連接された払出球検出部１２９に取り込まれる。払出球検出部１２９には、払出球検出器１３１を備える。払出球検出器１３１は、タンク１２４から払出球検出部１２９に排出された球を電気的に検出するごとに払出球検出信号を主制御装置１（図７参照）および発射払出制御装置１３２に出力する。払出球検出器１３１を通過した球は、払出球検出部１２９の下部に連接された払出樋１３３に取り込まれる。払出樋１３３は、中央開口部１１３よりも左側に配置され、遊技主体収納構造体９６の裏面に取り付けられる。払出樋１３３の内部には、球通路が、上部から下部に行くにしたがって、前後方向に蛇行する形態に形成される。払出樋１３３の下端は、前横樋１１８の右上部に連なる。よって、払出樋１３３に取り込まれた球は、払出樋１３３の内部における球通路を蛇行しながら流下して前横樋１１８に排出される。
【００３３】
払出樋１３３の左側には、球抜樋１３４が併設される。球抜樋１３４および払出樋１３３は上部で互いに連接される。この連接部には、通路切換機構１３５が設けられる。通路切換機構１３５は、払出樋１３３の裏面に取り付けられた電磁ソレノイドからなる通路切換駆動源としての通路切換ソレノイド１３６、通路切換ソレノイド１３６のプランジャに連結されて払出樋１３３の球通路に配置された通路切換弁１３７とを備える。そして、例えば、通路切換ソレノイド１３６が電力供給されていない場合、通路切換弁１３７は、払出球検出部１２９から払出樋１３３に球を流すように、払出球検出部１２９と球抜樋１３４との球通路を遮断する。そして、通路切換ソレノイド１３６が電力供給されている場合、通路切換弁１３７は、払出球検出部１２９から球抜樋１３４に球を流すように、払出球検出部１２９と払出樋１３３との球通路を遮断する。球抜樋１３４の下端は、前横樋１１８の収納部裏面に球通路カバーにより形成された球抜樋１３４に連接される。球抜樋１３４の下端は、前横樋１１８の収納部裏面から下方に突出する。払出樋１３３における通路切換機構１３５よりも下部の中間部には、満タン検出器１３８が設けられる。タンク１２４の底部の外側には、球切れ検出器１３９が設けられる。
【００３４】
遊技主体収納構造体９６における遊技主体棚１１４より下方に延設された前壁の裏面には、電源装置１４０と発射払出制御装置１３２とが取り付けられる。電源装置１４０は、中央開口部１１３よりも下部で左側に配置される。発射払出制御装置１３２は、中央開口部１１３よりも下部で右側に配置される。枠側コネクタ１２２よりも上部における遊技主体収納構造体９６の裏面には、外部情報端子基板１４１、払出中継端子基板１４２、電源端子基板１４３が、下から上に順に配置された形態で、取り付けられる。発射払出制御装置１３２よりも右側における遊技主体収納構造体９６の裏面には、球皿中継基板１４４が取り付けられる。枠側コネクタ１２２、発射払出制御装置１３２、電源装置１４０、払出外部情報端子基板１４１、中継端子基板１４２、電源端子基板１４３および球皿中継基板１４４のそれぞれは、枠側可撓性配線１４５で、互いに接続される。枠側可撓性配線１４５は、遊技盤２に設けられた電気部品と遊技機枠９１に設けられた電気部品とを接続する多数本の箔形状の電線が、可撓性を有する合成樹脂基板に付設された構造である。
【００３５】
枠側可撓性配線１４５には、枠側コネクタ１２２、発射払出制御装置１３２、電源装置１４０、外部情報端子基板１４１、払出中継端子基板１４２、電源端子基板１４３、球皿中継基板１４４のそれぞれが接続される。払出中継端子基板１４２には、タンク１２４に設けられたタンク中継端子基板１４６が、ハーネス１４７で接続される。タンク中継端子基板１４６には、払出モータ１２７、払出球検出器１３１、通路切換ソレノイド１３６、扉開放スイッチ１４８、球抜きスイッチ１４９のそれぞれからの配線を接続するコネクタが設けられる。電源端子基板１４３には、パチンコ機のプラグ１５０を有する電源配線１５１が接続される。外部情報端子基板１４１は、遊技店の営業を管理する図外のホールコンピュータと接続される。球皿中継基板１４４は球皿構造体９８からの配線が接続される。電源装置１４０の裏面左下部には、電源スイッチ１５２およびリセット釦１５３が設けられる。
【００３６】
図９において、遊技盤２が遊技機枠９１に装着され、電源配線１５１のプラグ１５０が遊技機設置構造体のＡＣ２４ボルトを出力する島電源の出力端子に接続され、電源スイッチ１５２が作業者によって投入されると、電源装置１４０が主制御装置１、複合制御装置８４、図柄制御装置８７、発射払出制御装置１３２に直流電源を供給し、主制御装置１、複合制御装置８４、図柄制御装置８７、発射払出制御装置１３２が起動し、球が遊技機設置構造体の補給機構からタンク１２４に供給されて貯蔵され、球切れ検出器１３９が球切れ検出信号を出力しておらず、扉開放スイッチ１４８が扉開放信号を出力しておらず、球抜きスイッチ１４９が球抜き信号を出力しておらず、満タン検出器１３８が満タン検出信号を出力していない状態において、遊技者が発射操作機構１０９（図７参照）に触れて操作すると、発射操作機構１０９に内蔵されている可変抵抗器が発射操作機構１０９に対する遊技者の操作量に応じた可変抵抗値を発射払出制御装置１３２に出力する。
【００３７】
これによって、発射払出制御装置１３２が例えば１分間に１００発未満の周期と可変抵抗値に応じた発射出力とで発射機構１１５の発射駆動源を駆動すると、発射機構１１５が図７に示す球収納部１０８から供給された球を１個ずつ発射する。発射機構１１５から発射された球は、発射通路７５を経由して遊技盤２の図６に示す遊技領域５８に発射される。この遊技領域５８に発射された球は、遊技領域５８を流下する過程において、図６に示す一般入賞部品６０、作動入賞部品６１、始動入賞部品６２、可変入賞部品６３に入賞する。入賞部品に入賞しないで遊技領域５８の下部に到達した球は、図６のアウト口７１に入る。
【００３８】
そして、入賞部品に入賞した球を検出した、作動入賞球検出器、一般入賞球検出器、始動入賞球検出器、特定入賞球検出器および普通入賞球検出器などの入賞球検出器が入賞検出信号を図９に示す主制御装置１に出力すると、主制御装置１が入賞検出信号の種類による賞球払出信号を複合制御装置８４と発射払出制御装置１３２とに出力する。これによって、複合制御装置８４が遊技演出を行うように図外の表示灯またはスピーカを駆動し、発射払出制御装置１３２が賞球払出信号にもとづく個数の賞球としての球を払い出すように払出モータ１２７を駆動する。これによって、タンク１２４から賞球としての球が払い出される。このように、球がタンク１２４から払い出されるのに伴い、払出球検出器１３１が払出球検出信号を主制御装置１と発射払出制御装置１３２とに出力する。
【００３９】
主制御装置１および発射払出制御装置１３２は、払出球検出信号をタンク１２４から払い出された球数としてカウントアップするかまたは賞球払出信号にもとづき定められた設定賞球数をカウントダウンするかの演算処理を行う。そして、主制御装置１は、演算処理の結果を踏まえ、球払出機構１２６が賞球払出信号による個数の球を払い出し終わる時間が経過した時点において、球払出機構１２６による払出動作が正常であるか異常であるかを監視する。つまり、主制御装置１は、球払出機構１２６が賞球払出信号による個数の球を払い出し終わる時間が経過した時点において、カウントアップした値が賞球払出信号にもとづき定められた設定賞球数と一致するかまたは賞球払出信号にもとづき定められた設定賞球数からカウントダウンした値が「０」となることによって、球払出機構１２６による払出動作が正常であると判断して異常停止処理を行わないが、カウントアップした値が賞球払出信号にもとづき定められた設定賞球数と不一致となるかまたは賞球払出信号にもとづき定められた設定賞球数からカウントダウンした値が「０」とならない場合にタンク１２４による払出動作が異常であると判断して異常停止処理を行う。異常停止処理は、主制御装置１が遊技制御を停止する処理であって、発射機構１１５が球の発射を停止したり、タンク１２４が球の払い出しを停止したりするために、発射払出制御装置１３２に異常信号を出力する。前記演算処理の結果として、発射払出制御装置１３２は、球払出機構１２６が賞球払出信号による個数の球を払い出し終わる時間が経過した時点において、カウントアップした値が賞球払出信号にもとづき定められた設定賞球数と一致するかまたは賞球払出信号にもとづき定められた設定賞球数からカウントダウンした値が「０」となった場合、球払出機構１２６の払出モータ１２７の駆動を停止する。
【００４０】
図９に示すように、パチンコ機を裏側から見た場合、遊技機枠９１の中央開口部１１３よりも上部で右側に設けられたタンク１２４が球払出機構１２６を備え、払出樋１３３が遊技機枠９１の中央開口部１１３よりも右側に設けられている。よって、タンク１２４と球払出機構１２６とをつなぐ従来の下タンクと呼ばれる中継樋が不要となり、遊技機枠９１に取り付けられる遊技盤２の裏機構を逃げるための中央開口部１１３の上下寸法を大きくすることができるという利点がある。このことから、遊技盤２を遊技機枠９１に取り付けた場合、遊技盤２の発射通路７５から遊技領域５８に球が飛び出す出口の周りの裏面が中央開口部１１３に露出される。そして、この中央開口部１１３に露出される遊技盤２の裏面と対応する発射通路７５または発射通路７５から遊技領域５８への球出口８０または球出口８０の近傍における遊技領域５８のいずれかには、図６に示す始動入賞部品６２、演出表示部品６５のような裏機構の必要な前部品が設けられることはない。よって、この中央開口部１１３に露出される遊技盤２の裏面が主制御装置１の遊技盤２の裏面に取り付ける面として利用することができるという利点がある。
【００４１】
また、パチンコ機を裏側から見た場合、遊技機枠９１の中央開口部１１３よりも右側には、遊技盤２に設けられた電気部品と遊技機枠９１に設けられた電気部品とを接続する枠側コネクタ１２２が縦方向に一列に設けられているので、枠側コネクタ１２２を設ける横幅が、従来の球払出機構１２６を設ける横幅より小さくなる。よって、中央開口部１１３の左右寸法を大きくすることができるという利点がある。このことから、遊技盤２を遊技機枠９１に取り付けた場合、遊技盤２の発射通路７５の周りの裏面が中央開口部１１３に露出される。そして、この中央開口部１１３に露出される遊技盤２の裏面と対応する発射通路７５の周りには、裏機構の必要な前部品が設けられることはない。よって、この中央開口部１１３に露出される遊技盤２の裏面が主制御装置１の遊技盤２の裏面に取り付ける面として利用することができるという利点がある。
【００４２】
図９において、満タン検出器１３８は、球収納部１０８（図７参照）から前横樋１１８および払出樋１３３の満タン検出器１３８まで球が満杯となると、主制御装置１による賞球制御を停止するために、満タン検出器１３８が満杯となった球でオン動作して満杯検出信号を主制御装置１に出力する。球切れ検出器１３９は、遊技機設置構造体の補給機構からタンク１２４への補給を指示するため、タンク１２４に貯蔵された球の残量が少なったことを電気的に検出して球切れ検出信号を主制御装置１に出力する。扉開放スイッチ１４８は、パネル枠９７（図６参照）が開けられた場合にオン動作して扉開放信号を主制御装置１に出力する。パネル枠９７が開けられ、タンク１２４から球を遊技機設置構造体の補給機構に排出するために、店員が球抜きスイッチ１４９を操作すると、球抜きスイッチ１４９が球抜き信号を主制御装置１に出力する。
【図面の簡単な説明】
【００４３】
【図１】遊技制御取付装置の内部を示す縦断面図（最良の形態）。
【図２】遊技制御取付装置を示す裏面図（最良の形態）。
【図３】遊技制御取付装置を示す分解斜視図（最良の形態）。
【図４】遊技制御取付装置の組立工程を示す平面図（最良の形態）。
【図５】遊技制御取付装置の組立工程を示す平面図（最良の形態）。
【図６】遊技盤を示す正面図（最良の形態）。
【図７】遊技盤と遊技機枠とを示す分解斜視図（最良の形態）。
【図８】遊技機枠を示す裏面図（最良の形態）。
【図９】パチンコ機を示す裏面図（最良の形態）。
【符号の説明】
【００４４】
１    主制御装置
２    遊技盤
３    部品取付構造体
１０  庇
１１  配線構造体収納部
１２  配線構造体
１６  配線コネクタ
２２  取付台
３６  制御筐体
４３  把持溝
４８  把持突起
４９  制御コネクタ
５６  内ガイドレール
５７  外ガイドレール
５８  遊技領域
７５  発射通路
８０  球出口
【図１】
2006025978.tif 000003
【図２】
2006025978.tif 000004
【図３】
2006025978.tif 000005
【図４】
2006025978.tif 000006
【図５】
2006025978.tif 000007
【図６】
2006025978.tif 000008
【図７】
2006025978.tif 000009
【図８】
2006025978.tif 000010
【図９】
2006025978.tif 000011